(57)【要約】【課題】異なる規格のヘッドセットを使用する場合にクロストークを低減することが可能なヘッドセットジャック回路を提供すること。【解決手段】本実施の形態のヘッドセットジャック回路は、ヘッドセットプラグを装着するためのジャックと、前記ジャックを介して前記ヘッドセットプラグの３極に接続される第１のラインと、前記ジャックを介して前記ヘッドセットプラグの４極に接続される第２のラインと、前記第１のラインと前記第２のラインの信号レベルに応じて、マイクアンプとＧＮＤの接続先を前記第１のライン又は前記第２のラインに切り替える第１のスイッチ手段と、前記第１のラインと前記第２のラインの信号レベルに応じて、前記第１のライン又は前記第２のラインをＧＮＤに接続する第２のスイッチ手段と、を備えている。【選択図】図６
2018142800.tif 000002
【特許請求の範囲】
【請求項１】
ヘッドセットプラグを装着するためのジャックと、
前記ジャックを介して前記ヘッドセットプラグの３極に接続される第１のラインと、
前記ジャックを介して前記ヘッドセットプラグの４極に接続される第２のラインと、
前記第１のラインと前記第２のラインの信号レベルに応じて、マイクアンプとＧＮＤの接続先を前記第１のライン又は前記第２のラインに切り替える第１のスイッチ手段と、
前記第１のラインと前記第２のラインの信号レベルに応じて、前記第１のライン又は前記第２のラインをＧＮＤに接続する第２のスイッチ手段と、
を備えたことを特徴とするヘッドセットジャック回路。
【請求項２】
前記ジャックにＯＭＴＰ規格のヘッドセットプラグが装着された場合には、前記第１のスイッチ手段は、前記マイクアンプとの接続を前記第２のラインに、前記ＧＮＤへの接続を第１のラインに切り替え、
前記第２のスイッチ手段は、前記第２のラインをＧＮＤに接続することを特徴とする請求項１に記載のヘッドセットジャック回路。
【請求項３】
前記ジャックにＣＴＩＡ規格のヘッドセットプラグが装着された場合には、前記第１のスイッチ手段は、前記マイクアンプの入力先を前記第１のラインに切り替え、前記ＧＮＤへの接続を第２のラインに切り替え、
前記第２のスイッチ手段は、前記第１のラインをＧＮＤに接続することを特徴とする請求項１に記載のヘッドセットジャック回路。
【請求項４】
前記第２のスイッチング手段は、Ｎｃｈ型のＭＯＳトランジスタを含むことを特徴とする請求項１〜３のいずれか１つに記載のヘッドセットジャック回路。
【請求項５】
前記第２のスイッチング手段は、さらに、ＮＡＮＤ回路及びＥｘ−ＮＯＲ回路を含むことを特徴とする請求項４に記載のヘッドセットジャック回路。
【請求項６】
請求項１〜請求項５のいずれか１つに記載のヘッドセットジャック回路を搭載したことを特徴とする電子機器。
【発明の詳細な説明】
【技術分野】
【０００１】
本発明は、ヘッドセットジャック回路及び電子機器に関する。
【背景技術】
【０００２】
例えば、ヘッドセットは各種の電子機器で使用されている。ヘッドセットプラグの規格には、ＯＭＴＰ規格(Open Mobile Terminal Platform)とＣＴＩＡ規格(Cellular Telecommunications Internet Association)がある。例えば、ＯＭＴＰ規格はＡｐｐｌｅ（登録商標）で使用されており、ＣＴＩＡ規格はＮｏｋｉａ（登録商標）で使用されている。ＣＴＩＡ規格及びＯＭＴＰ規格では、共に先端側から奥部に向けて４つの極が形成されている。ＯＴＭＰ規格では先端部の極から順に左音声、右音声、ＧＮＤ、マイクに対応した極となっている。ＣＭＴＰ規格では、先端部から３番目と４番目の極がＯＭＴＰ規格とは逆になっている。
【０００３】
１つのヘッドセットジャックでＯＭＴＰ規格及びＣＴＩＡ規格のヘッドセットプラグの両方を使用する場合には、ＯＭＴＰ規格のヘッドセットプラグかＣＴＩＡ規格のヘッドセットプラグかを検出する必要がある。また、異なる規格のヘッドセットプラグを使用する場合にクロストークについても考慮する必要がある。
【先行技術文献】
【特許文献】
【０００４】
【特許文献１】特表２０１７−５０４２８４号公報
【発明の概要】
【発明が解決しようとする課題】
【０００５】
本発明は、上記に鑑みてなされたものであり、異なる規格のヘッドセットを使用する場合にクロストークを低減することが可能なヘッドセットジャック回路及び電子機器を提供することを目的とする。
【課題を解決するための手段】
【０００６】
上述した課題を解決し、目的を達成するために、本発明は、ヘッドセットプラグを装着するためのジャックと、前記ジャックを介して前記ヘッドセットプラグの３極に接続される第１のラインと、前記ジャックを介して前記ヘッドセットプラグの４極に接続される第２のラインと、前記第１のラインと前記第２のラインの信号レベルに応じて、マイクアンプとＧＮＤの接続先を前記第１のライン又は前記第２のラインに切り替える第１のスイッチ手段と、前記第１のラインと前記第２のラインの信号レベルに応じて、前記第１のライン又は前記第２のラインをＧＮＤに接続する第２のスイッチ手段と、を備えたことを特徴とする。
【０００７】
また、本発明の好ましい態様によれば、前記ジャックにＯＭＴＰ規格のヘッドセットプラグが装着された場合には、前記第１のスイッチ手段は、前記マイクアンプとの接続を前記第２のラインに、前記ＧＮＤへの接続を第１のラインに切り替え、前記第２のスイッチ手段は、前記第２のラインをＧＮＤに接続することが望ましい。
【０００８】
また、本発明の好ましい態様によれば、前記ジャックにＣＴＩＡ規格のヘッドセットプラグが装着された場合には、前記第１のスイッチ手段は、前記マイクアンプの入力先を前記第１のラインに切り替え、前記ＧＮＤへの接続を第２のラインに切り替え、前記第２のスイッチ手段は、前記第１のラインをＧＮＤに接続することが望ましい。
【０００９】
また、本発明の好ましい態様によれば、前記第２のスイッチング手段は、Ｎｃｈ型のＭＯＳトランジスタを含むことが望ましい。
【００１０】
また、本発明の好ましい態様によれば、前記第２のスイッチング手段は、さらに、ＮＡＮＤ回路及びＥｘ−ＮＯＲ回路を含むことが望ましい。
【発明の効果】
【００１１】
本発明によれば、異なる規格のヘッドセットを使用する場合にクロストークを低減することが可能になるという効果を奏する。
【図面の簡単な説明】
【００１２】
【図１】図１は、本実施の形態に係るノートＰＣの概略構成を示す図である。
【図２】図２は、４極タイプのヘッドセットプラグを説明するための図である。
【図３】図３は、ヘッドセットジャック回路のヘッドセットプラグを検出する構成の模式図である。
【図４】図４は、図３のヘッドセットジャック回路のヘッドセットジャックにＯＭＴＰ規格のヘッドセットを装着した状態を示す図である。
【図５−Ａ】図５−Ａは、図４のＳｌｅｅｖｅに起因するクロストークを説明するための図４の模式図である。
【図５−Ｂ】図５−Ｂは、ＣＯＤＥＣとヘッドセットジャック間のラインを示す模式図である。
【図６】図６は、図３のヘッドセットジャック回路にクロストークの低減対策を施した構成を示す図である。
【図７】図７は、図６のヘッドセットジャック回路をより具体化した構成を示す図である。
【図８】図８は、ヘッドセットジャック回路の他の構成例を示す図である。
【図９】図９は、図８ヘッドセットジャック回路の動作表を示す図である。
【発明を実施するための形態】
【００１３】
以下、本実施の形態に係るヘッドセットジャック回路及び電子機器の実施の形態について説明する。本発明の構成要素は、本明細書の図面に一般に示してあるが、様々な構成で広く多様に配置し設計してもよいことは容易に理解できる。したがって、本発明の装置、方法、の実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、材料でも本発明を実現できることが理解できる。 
【００１４】
（実施の形態）
本実施の形態に係るヘッドセットジャック回路を適用した適用した電子機器について説明する。電子機器は、例えば、ノートＰＣ、デスクトップＰＣ、スマートフォン、携帯電話端末、ＴＶ装置、オーディオ機器等である。以下の例では電子機器としてノートＰＣを例示して説明する。
【００１５】
図１は、本実施の形態に係るノートＰＣの概略構成を示す図である。図１に示すように、ノートＰＣ１は、ディスプレイ側筐体２と本体側筐体３が一対のヒンジ４を介して開閉可能に接続されている。
【００１６】
ディスプレイ側筐体２は、ＬＣＤ（液晶ディスプレイ）８を収納する。本体側筐体３は、内部にヘッドセットジャック回路（図２参照）を含む各種電気部品を搭載すると共に、表面にキーボード装置６及びタッチパッド装置７を実装している。本明細書において、「ヘッドセット」とは、マイクがヘッドホンやヘッドセットと一緒になったもの、ヘッドホン単体、及びイヤホン単体を含むものとする。
【００１７】
本体側筐体３の側面には、ヘッドセットジャック回路のヘッドセットジャック２０が設けられている。ヘッドセットジャック回路１０は、４極タイプのＯＭＴＰ規格及びＣＴＩＡ規格の両方のヘッドセットプラグに対応している。
【００１８】
ヘッドセット１００は、４極タイプのヘッドセットプラグ１０１とマイク１０２を備えている。図２は、４極タイプのヘッドセットプラグ１０１を説明するための図であり、図２（Ａ）はＯＭＴＰ規格、図２（Ｂ）はＣＴＩＡ規格を示している。
【００１９】
図２において、４極のヘッドセットプラグ１０１は、４つの極を備え、先端から順に、Ｔｉｐ、Ｒｉｎｇ１，Ｒｉｎｇ２，Ｓｌｅｅｖｅと呼称される。各極の間には絶縁リングが設けられている。
【００２０】
図２（Ａ）に示すように、ＯＭＴＰ規格では、Ｔｉｐ＝左音声（Ｌ）、Ｒｉｎｇ１＝右音声（Ｒ），Ｒｉｎｇ２＝ＧＮＤ（Ｇ），Ｓｌｅｅｖｅ＝マイク（Ｍ）となっている。また、図２（Ｂ）に示すように、ＣＴＩＡ規格では、Ｔｉｐ＝左音声（Ｌ）、Ｒｉｎｇ１＝右音声（Ｒ），Ｒｉｎｇ２＝マイク（Ｍ），Ｓｌｅｅｖｅ＝ＧＮＤ（Ｇ）となっている。ＯＭＴＰ規格とＯＭＴＰ規格では、Ｒｉｎｇ２とＳｌｅｅｖｅのマイクとＧＮＤが逆になっている。
【００２１】
図３は、ヘッドセットジャック回路１０のヘッドセットプラグを検出する構成の模式図である。図３では、ヘッドセットジャックを検出するのに必要な部分のみを模式的に示している。図４は、図３のヘッドセットジャック回路１０のヘッドセットジャック２０にＯＭＴＰ規格のヘッドセット１００を装着した状態を示す図である。
【００２２】
図３において、ヘッドセットジャック回路１０は、ヘッドセットジャック２０とＣＯＤＥＣ３０を備えている。ヘッドセットジャック２０は、ヘッドセットプラグ１０１が装着された場合に、ヘッドセットプラグ１０１のＴｉｐ、Ｒｉｎｇ１、Ｒｉｎｇ２、Ｓｌｅｅｖｅとそれぞれ接続するライン４１〜４４が接続されている。
【００２３】
ＣＯＤＥＣ３０は、スイッチ手段３１、３２と、左信号アンプ３３と、右信号アンプ３４と、マイクアンプ３５と、レベル検出手段３６とを備えている。スイッチ手段３１、３２及びレベル検出手段３６は、第１のスイッチング手段を構成する。
【００２４】
左信号アンプ３３は、左音声信号を増幅してライン４１を介してヘッドセットプラグ１０１のＴｉｐに出力する。右信号アンプ３４は、右音声信号を増幅してライン４２を介してヘッドセットプラグ１０１のＲｉｎｇ１に出力する。
【００２５】
スイッチ手段３１は、入力側の端子がヘッドセットプラグ１０１のライン４３（Ｒｉｎｇ２：第１のライン）に接続され、出力側のＡ端子がＡＧＮＤに接続され、出力側のＢ端子がマイクアンプ３５に接続されている。スイッチ手段３１は、レベル検出手段３６の指示に従って、Ａ端子又はＢ端子に接続を切り替える。
【００２６】
スイッチ手段３２は、入力側の端子がライン４４（Ｓｌｅｅｖｅ：第２のライン）に接続され、出力側のＡ端子がマイクアンプ３５に接続され、出力側のＢ端子がＡＧＮＤに接続されている。スイッチ手段３２は、レベル検出手段３６の指示に従って、Ａ端子又はＢ端子に接続を切り替える。
【００２７】
マイクアンプ３５は、スイッチ手段３１，３２を介して入力されるマイク信号を増幅する。レベル検出手段３６は、ライン４３（Ｒｉｎｇ２）とライン４４（Ｓｌｅｅｖｅ）の信号レベルに応じて、スイッチ手段３１、３２の接続を切り替える。
【００２８】
レベル検出手段３６は、ライン４３（Ｒｉｎｇ２）とライン４４（Ｓｌｅｅｖｅ）の信号レベル（電圧レベル）を比較して、ライン４４（Ｓｌｅｅｖｅ）の方が大きい場合は、スイッチ手段３１，３２の出力先をＡ端子に切り替えさせる。図４に示すように、ＯＭＴＰ規格のヘッドセットプラグ１０１をヘッドセットジャック２０に装着した場合は、ライン４４（Ｓｌｅｅｖｅ）の信号レベルがライン４３（Ｒｉｎｇ２）の信号レベル（電圧レベル）よりも大きくなる。これにより、ライン４４（Ｓｌｅｅｖｅ）がマイクアンプ３５に接続され、ライン４３（Ｒｉｎｇ２）がＡＧＮＤに接続される。このように、ＯＭＴＰ規格のヘッドセットプラグ１０１を検出して使用することができる。
【００２９】
他方、レベル検出手段３６は、ライン４３（Ｒｉｎｇ２）の方が大きい場合は、スイッチ手段３１，３２の出力先をＢ端子に切り替えさせる。ＣＴＩＡ規格のヘッドセットプラグ１０１をヘッドセットジャック２０に装着した場合には、ライン４３（Ｒｉｎｇ２）の信号レベルがライン４４（Ｓｌｅｅｖｅ）の信号レベル（電圧レベル）よりも大きくなる。これにより、ライン４３（Ｒｉｎｇ２）がマイクアンプ３５に接続され、ライン４４（Ｓｌｅｅｖｅ）がＡＧＮＤに接続される。このように、ＣＴＩＡ規格のヘッドセットプラグ１０１を検出して使用することができる。
【００３０】
以上説明したように、上記構成によれば、第１のスイッチング手段は、ライン４３（Ｒｉｎｇ２）とライン４４（Ｓｌｅｅｖｅ）のラインの信号レベルに応じて、マイクアンプ３５とＧＮＤの接続先をライン４３（Ｒｉｎｇ２）又はライン４４（Ｓｌｅｅｖｅ）に切り替えているので、ＯＭＴＰ規格とＣＴＩＡ規格のヘッドセットプラグ１０１を簡単な構成で検出することが可能となる。
【００３１】
図５−Ａは、図４のライン４４（Ｓｌｅｅｖｅ）に起因するクロストークを説明するための図４の模式図である。図５−Ｂは、ＣＯＤＥＣ２０とヘッドセット１００間のラインを示す模式図である。
【００３２】
図４において、ヘッドセット１００のＧＮＤラインはヘッドセットプラグ１０１のＳｌｅｅｖｅに接続される。図５−Ｂに示すように、ライン４４（Ｓｌｅｅｖｅ）は、ヘッドセット１００のＧＮＤラインに接続するラインであるが、パスが長くなると直流抵抗ＤＣＲが大きくなって、クロストークが発生する。
【００３３】
具体的には、図５−Ａに示すように、スイッチ手段３１，３２の接続をＡ端子としている場合において、左音声信号だけをアクチベートさせるとライン４１（Ｔｉｐ）では電流Ｉが観測される。ライン４４（Ｓｌｅｅｖｅ）にそのリターン信号が流れ、ライン４４（Ｓｌｅｅｖｅ）の直流抵抗をＤＣＲとすると、ライン４１（Ｔｉｐ）のＶＬＣＨ＝ＶＯＵＴ−ＤＣＲ×（電流Ｉ）となる。この場合、アクチベートしていないライン４２（Ｒｉｎｇ１）は、ＤＣＲ×Ｉによる反転した振幅が観測される。ライン４２（Ｒｉｎｇ１）のＶＲＣＨ＝ＤＣＲ×（−電流Ｉ）となる。このように、クロストークが発生し、左音声が右側に漏れる。
【００３４】
このクロストークを低減するためには、ライン４４（Ｓｌｅｅｖｅ）の直流抵抗ＤＣＲを小さくすればよく、ライン４４（Ｓｌｅｅｖｅ）の長さを短くしたり、太くすることが考えられるが、レイアウト上難しい場合も多い。
【００３５】
そこで、本実施の形態では、ライン４４（Ｓｌｅｅｖｅ）とライン４３（Ｒｉｎｇ２）を選択的に抵抗値の低いＡＧＮＤに接続するための第２のスイッチ手段を設けて、クロストークを低減している。
【００３６】
図６は、図３のヘッドセットジャック回路１０にクロストークの低減対策を施した構成を示す図である。図６において、スイッチ手段５０は、入力側がライン４４（Ｓｌｅｅｖｅ）とライン４３（Ｒｉｎｇ２）にそれぞれ接続されており、出力側がＡＧＮＤに接続されている。スイッチ手段５０は、レベル検出手段３６の指示に応じて、ＡＧＮＤの接続先をライン４４（Ｓｌｅｅｖｅ）とライン４３（Ｒｉｎｇ２）に切り替える。スイッチ手段５０及びレベル検出手段３６は、第２のスイッチ手段を構成する。
【００３７】
レベル検出手段３６は、ライン４３（Ｒｉｎｇ２）とライン４４（Ｓｌｅｅｖｅ）との信号レベル（電圧レベル）を比較して、スイッチ手段５０に、ＡＧＮＤへの接続先をライン４４（Ｓｌｅｅｖｅ）又はライン４３（Ｒｉｎｇ２）に切り替えさせる。
【００３８】
レベル検出手段３６は、ライン４４（Ｓｌｅｅｖｅ）の信号レベルがライン４３（Ｒｉｎｇ２）より大きい場合には、スイッチ手段５０にライン４４（Ｓｌｅｅｖｅ）をＡＧＮＤに接続させる。これにより、ライン４４（Ｓｌｅｅｖｅ）の直流抵抗ＤＣＲを低減することができ、クロストークを低減することができる。
【００３９】
他方、レベル検出手段３６は、ライン４３（Ｒｉｎｇ２）の信号レベルがライン４４（Ｓｌｅｅｖｅ）より大きい場合には、スイッチ手段５０にライン４３（Ｒｉｎｇ２）をＡＧＮＤに接続させる。
【００４０】
上記構成によれば、第２のスイッチ手段は、ライン４３（Ｒｉｎｇ２）とライン４４（Ｓｌｅｅｖｅ）の信号レベルに応じて、ライン４３（Ｒｉｎｇ２）又はライン４４（Ｓｌｅｅｖｅ）をＧＮＤに接続することとしたので、ライン４４（Ｓｌｅｅｖｅ）に起因するクロストークを低減することが可能となる。
【００４１】
図７は、図６のヘッドセットジャック回路１０をより具体化した回路を示す図である。図７に示す回路では、スイッチ手段として、Ｎｃｈ−ＭＯＳ型のトランジスタを使用した場合の構成例の概略を示す模式図である。
【００４２】
Ｎｃｈ−ＭＯＳ型のトランジスタＴｒ１は、そのゲートＧがスイッチ制御手段６０に接続され、そのドレインＤがライン４４（Ｓｌｅｅｖｅ）に接続され、そのソースＳはＡＧＮＤに接続されている。Ｎｃｈ−ＭＯＳ型のトランジスタＴｒ２は、そのゲートＧがスイッチング制御手段６０に接続され、そのドレインＤがライン４３（Ｒｉｎｇ２）に接続され、そのソースＳはＡＧＮＤに接続されている。トランジスタＴｒ１、Ｔｒ２及びスイッチ制御手段６０は、第２のスイッチ手段を構成する。なお、ここでは、Ｎｃｈ−ＭＯＳ型のトランジスタを使用しているが、Ｐｃｈ−ＭＯＳ型のトランジスタを使用してもよい。
【００４３】
スイッチ制御手段６０は、レベル検出手段３６の出力に基づいて、トランジスタＴｒ１、Ｔｒ２をＯＮ／ＯＦＦさせる。
【００４４】
スイッチ制御手段６０は、ライン４４（Ｓｌｅｅｖｅ）の信号レベルがライン４３（Ｒｉｎｇ２）より大きい場合には、トランジスタＴｒ１をＯＮさせて、ライン４４（Ｓｌｅｅｖｅ）をＡＧＮＤに接続させる。これにより、ライン４４（Ｓｌｅｅｖｅ）の直流抵抗ＤＣＲを低減することができ、ライン４４（Ｓｌｅｅｖｅ）に起因するクロストークを低減することができる。
【００４５】
他方、スイッチ制御手段６０は、ライン４３（Ｒｉｎｇ２）の信号レベルがライン４４（Ｓｌｅｅｖｅ）より大きい場合には、トランジスタＴｒ２をＯＮさせて、ライン４３（Ｒｉｎｇ２）をＡＧＮＤに接続させる。
【００４６】
図８は、図７のヘッドセットジャック回路１０の他の構成例を示す図である。図９は、図８のヘッドセットジャック回路１０の動作表を示す図である。
【００４７】
トランジスタＴｒ１は、そのゲートＧがスイッチ手段Ｓ１の一端子側に接続され、そのドレインＤがライン４４（Ｓｌｅｅｖｅ）に接続され、そのソースＳはＡＧＮＤに接続されている。トランジスタＴｒ２は、そのゲートＧがスイッチ手段Ｓ２の一端子側に接続され、そのドレインＤがライン４３（Ｒｉｎｇ２）に接続され、そのソースＳはＡＧＮＤに接続されている。
【００４８】
スイッチ手段Ｓ１は、一端子側がトランジスタＴｒ１のゲートＧに接続され、二端子側のＡ端子がＮＡＮＤ回路８０に接続され、Ｂ端子がライン４４（Ｓｌｅｅｖｅ）に接続されている。スイッチ手段Ｓ１は、ＥＸ  ＮＯＲ回路７０の出力によって接続が切り替えられる。
【００４９】
スイッチ手段Ｓ２は、一端子側がトランジスタＴｒ２のゲートに接続され、出力側のＡ端子がライン４３（Ｒｉｎｇ２）に接続され、Ｂ端子がＮＡＮＤ回路８０に接続されている。スイッチ手段Ｓ２は、ＥＸ  ＮＯＲ回路７０の出力によって接続が切り替えられる。
【００５０】
ＮＡＮＤ回路８０は、入力側がライン４３（Ｒｉｎｇ２）とライン４４（Ｓｌｅｅｖｅ）に接続されており、出力側がスイッチ手段Ｓ１のＡ端子及びスイッチ手段Ｓ２のＢ端子に接続されている。
【００５１】
ＥＸ  ＮＯＲ回路７０は、入力側がライン４３（Ｒｉｎｇ２）とライン４４（Ｓｌｅｅｖｅ）に接続されており、出力側がスイッチ手段Ｓ１及びスイッチ手段Ｓ２の入力端子に接続されている。
【００５２】
上記構成において、トランジスタＴｒ１、Ｔｒ２、スイッチ手段Ｓ１，Ｓ２、ＥＸ  ＮＯＲ回路７０、及びＮＡＮＤ回路８０は、第２のスイッチ手段を構成する。
【００５３】
図９に示すように、ヘッドセットジャック２０に何も装着されていない場合（Ｏｐｅｎ）には、ライン４３（Ｒｉｎｇ２）はＨｉｇｈ、ライン４４（Ｓｌｅｅｖｅ）はＨｉｇｈ、スイッチ手段Ｓ１及びＳ２はＡ端子側に接続、トランジスタＴｒ１及びＴｒ２はＯＦＦとなる。
【００５４】
ヘッドセットジャック２０に３極のヘッドセットが装着されている場合には、ライン４３（Ｒｉｎｇ２）はＬｏｗ、ライン４４（Ｓｌｅｅｖｅ）はＬｏｗ、スイッチ手段Ｓ１及びＳ２はＡ端子側に接続、トランジスタＴｒ１及びＴｒ２はＯＮとなる。
【００５５】
ヘッドセットジャック２０にＯＭＴＰ規格のヘッドセットが装着されている場合には、ライン４３（Ｒｉｎｇ２）はＬｏｗ、ライン４４（Ｓｌｅｅｖｅ）はＨｉｇｈ、スイッチ手段Ｓ１及びＳ２はＢ端子側に接続、トランジスタＴｒ１はＯＮ、トランジスタＴｒ２はＯＦＦとなる。これにより、ライン４４（Ｓｌｅｅｖｅ）がＡＧＮＤに接続され、ライン４４（Ｓｌｅｅｖｅ）の直流抵抗を低下させることができ、クロストークを低減することができる。
【００５６】
ヘッドセットジャック２０にＣＴＩＡ規格のヘッドセットが接続されている場合には、ライン４３（Ｒｉｎｇ２）はＨｉｇｈ、ライン４４（Ｓｌｅｅｖｅ）はＬｏｗ、スイッチ手段Ｓ１及びＳ２はＢ端子側に接続、トランジスタＴｒ１はＯＦＦ、トランジスタＴｒ２はＯＮとなる。これにより、ライン４３（Ｒｉｎｇ２）がＡＧＮＤに接続される。
【００５７】
図８の回路構成によれば、４極のＯＭＴＰ規格及びＣＴＩＡ規格のヘッドセットジャックに加えて、３極のヘッドセットジャックも使用することができる。
【符号の説明】
【００５８】
１  ノートＰＣ
２  ディスプレイ側筐体
３  本体側筐体
４  ヒンジ
６  キーボード装置
７  タッチパッド装置
８  ＬＣＤ（液晶ディスプレイ）
１０  ヘッドセットジャック回路
２０  ヘッドセットジャック
３０  ＣＯＤＥＣ
３１、３２  スイッチ手段
３３  左信号アンプ
３４  右信号アンプ
３５  マイクアンプ
３６  レベル検出手段
４１〜４４  ライン
５０  スイッチ手段
６０  スイッチ制御手段
７０  ＥＸ  ＮＯＲ回路
８０  ＮＡＮＤ回路
１００  ヘッドセット
１０１  ヘッドセットプラグ
１０２  マイク
Ｔｒ１、Ｔｒ２  トランジスタ
Ｓ１，Ｓ２  スイッチ手段
【図１】
2018142800.tif 000003
【図２】
2018142800.tif 000004
【図３】
2018142800.tif 000005
【図４】
2018142800.tif 000006
【図５−Ａ】
2018142800.tif 000007
【図５−Ｂ】
2018142800.tif 000008
【図６】
2018142800.tif 000009
【図７】
2018142800.tif 000010
【図８】
2018142800.tif 000011
【図９】
2018142800.tif 000012